(57)【要約】【課題】光ディスク側の面に付着物が付着することがなく、光ディスク上にレーザ光を正確に集光することができる光学ヘッドおよびそれを備えた光ディスク装置並びに光学ヘッドの光照射方法を提供する。【解決手段】光学ヘッド１は、ディスク５にレーザ光６を集光する対物レンズ４を備え、ディスク５の回転に伴ってディスク５との間に間隙を設け、レーザ光６の集光によりディスク５を浮上走査する。光学ヘッド１は、ディスク５と対向する面付近に、通電により発熱する発熱コイル３が設けられている。【選択図】　図１
2004047028.tif 000002
【特許請求の範囲】
【請求項１】
光ディスクに光ビームを集光する対物レンズを備え、上記光ディスクの回転に伴って上記光ディスクとの間に間隙を設け、上記光ビームの集光により上記光ディスクを浮上走査する光学ヘッドにおいて、
通電により発熱する発熱部材が設けられていることを特徴とする光学ヘッド。
【請求項２】
上記発熱部材は、光学ヘッドにおいて上記光ディスクと対向する面付近に設けられていることを特徴とする請求項１に記載の光学ヘッド。
【請求項３】
上記発熱部材は、コイルであることを特徴とする請求項１に記載の光学ヘッド。
【請求項４】
光源と、対物レンズを有し、離れて配された光ディスクに上記対物レンズを介して光ビームを集光する光学ヘッドとを備え、上記光ディスクに対して少なくとも情報の再生、消去、または、記録を行う光ディスク装置において、
上記光学ヘッドには、通電により発熱する発熱部材が設けられていることを特徴とする光ディスク装置。
【請求項５】
上記発熱部材は、光学ヘッドにおいて上記光ディスクと対向する面付近に設けられていることを特徴とする請求項４に記載の光ディスク装置。
【請求項６】
対物レンズを備え、該対物レンズを介して、離れて配された光ディスクに光ビームを集光することにより、上記光ディスクに対して少なくとも情報の再生、消去、または、記録を行う光学ヘッドの光照射方法において、
上記情報の再生、消去、または、記録を行うときには、上記光ディスクに上記光ビームを集光するとともに、上記光学ヘッドに設けられている発熱部材を通電により発熱させることを特徴とする光照射方法。
【請求項７】
上記発熱部材の消費電力が３００ｍＷ以下になるように、発熱部材を通電させることを特徴とする請求項６に記載の光照射方法。
【請求項８】
上記発熱部材の消費電力が４０ｍＷ以上になるように、発熱部材を通電させることを特徴とする請求項６に記載の光照射方法。
【請求項９】
上記発熱部材を、直流電流により通電させることを特徴とする請求項６に記載の光照射方法。
【発明の詳細な説明】
【０００１】
【発明の属する技術分野】
本発明は、少なくとも光ビームを用いて、光ディスクに対して、情報の再生、消去、または記録を行う光学ヘッドおよびそれを備えた光ディスク装置並びに光学ヘッドの光照射方法に関するものである。
【０００２】
【従来の技術】
従来、レーザ光を用いて情報の再生・消去・記録を行う光ディスクの開発が進められ、民生用やデータ保存用として広く使用されてきている。また、近年、より多くの情報を記録するために、光ディスクの高記録密度化が進められ、これに伴い、記録ピットは小サイズ化されている。
【０００３】
このように高記録密度化された光ディスクを再生する光ピックアップでは、微小領域に記録された情報を読み取るために、光ディスクに集光させるレーザ光のスポットを微小な領域に絞り込む必要がある。このようにスポットサイズを小さくすることにより、より多くの情報を記録することができる。
【０００４】
上記スポットサイズは、使用する光源の波長λに比例する一方、対物レンズにおける開口数ＮＡに反比例する。従って、光のスポットサイズを小さくするには、使用する光源の波長λを小さくするか、または、対物レンズにおける開口数ＮＡを大きくする必要がある。
【０００５】
ところで、スポットサイズを小さくするために、開口数ＮＡを大きくすると、対物レンズにおける焦点深度が浅くなる。また、光ディスクが傾くことによりディスクチルトが発生すると、ビームスポットに収差が生じることとなる。
【０００６】
そこで、これら焦点深度およびディスクチルトのためのマージンを考慮して、対物レンズを介してのレーザ光の光ディスクへの入射を、ディスク基板側からではなく、光ディスクに情報を記録するためにディスク基板上に成膜された情報記録膜側から行うことが検討されている。
【０００７】
また、情報記録膜側からレーザ光の入射を行う場合、レーザ光の照射に用いる光学ヘッドとしては、情報の再生・消去・記録時に、ディスク面から浮上している状態となる（浮上走査を行う）浮上型光学ヘッドを用いる。
【０００８】
このような浮上型光学ヘッドを用いると、焦点深度が浅くなり、また、作動距離（ＷＤ）も短くなるため、光学ヘッドと光ディスクとの間隔は非常に狭くなる。即ち、光学ヘッドと光ディスクとの間隔は、広くても数μｍ、具体的には例えば３μｍ程度であり、１μｍ以下、場合によっては数ｎｍ程度に設計されることもある。
【０００９】
また光ディスクの表面には、何らかの原因で浮上型光学ヘッドと衝突した場合に、光ディスクの損傷や、浮上型光学ヘッドの破損をできるだけ軽減するために、情報記録層上には保護コート層が設けられている。この保護コート層は、潤滑性が良好で、硬度が高いものが望ましい。
【００１０】
ところで、浮上型光学ヘッドと光ディスクとの間隔は狭いため、レーザ光がディスク上に集光された場合、浮上型光学ヘッドと光ディスクとの間の部分がかなり高温になる。
【００１１】
このような場合、例えば、浮上型光学ヘッドと情報記録層との間の保護コート層の材料が蒸発し、浮上型光学ヘッドの光ディスク側の面に付着することがある。
【００１２】
また、保護コート層の材料の蒸発によって、浮上型光学ヘッドになんらかの異物が付着した場合、レーザ光の透過光量が減少したり、また、本来ディスクの情報記録層上にレーザ光が集光されるものが焦点ずれを引き起こしたりすることとなる。
【００１３】
そこで、特開２０００−２５１３４０号公報には、レンズ表面への異物の付着を防止する光−光磁気ヘッドが開示されている。
【００１４】
この光−光磁気ヘッドは、レンズにおける出射面上に、透明導電性膜を形成し、そこに通電して温度を上げる構成となっている。また、透明導電性膜上には、さらに保護膜が形成されている。
【００１５】
このように、透明導電性膜を形成していることにより、レンズ表面が他の部分よりも高温となり、レンズ表面への異物の付着を防止することができる。
【００１６】
また、保護膜を形成していることにより、温度が上昇した出射面が熱膨張しても、光ディスク表面には保護膜が接触し、光ディスク表面と出射面とが接触することはないため、光ディスクおよび出射面の損傷を防止することができる。
【００１７】
【発明が解決しようとする課題】
しかしながら、上記光−光磁気ヘッドは、温度が上昇した出射面が熱膨張することにより、ディスク上にレーザ光を正確に集光することができなくなる。即ち、レーザ光の焦点が適正位置からずれることとなる。
【００１８】
また、出射面上に透明導電性膜および保護膜を形成している。従って、レーザ光の焦点を適正位置に調整しにくい。
【００１９】
本発明は、上記の問題点に鑑みてなされたものであり、その目的は、光ディスク側の面に付着物が付着することがなく、光ディスク上にレーザ光を正確に集光することができる光学ヘッドおよびそれを備えた光ディスク装置並びに光学ヘッドの光照射方法を提供することにある。
【００２０】
【課題を解決するための手段】
本発明の光学ヘッドは、上記の課題を解決するために、光ディスクに光ビームを集光する対物レンズを備え、上記光ディスクの回転に伴って上記光ディスクとの間に間隙を設け、上記光ビームの集光により上記光ディスクを浮上走査する光学ヘッドにおいて、通電により発熱する発熱部材が設けられていることを特徴としている。
【００２１】
一般に、光ディスクに対して情報の再生・消去・記録が行われる（浮上走査される）とき、光学ヘッドと光ディスクとの間隔は狭いため、光ビームが光ディスク上に集光された場合、光学ヘッドと光ディスクとの間の部分がかなり高温になる。
【００２２】
このような場合、例えば、光学ヘッドと光ディスクの保護層の温度が上昇する。このため、例えば、保護層の材料の沸点以上となると、保護層の材料は気化して蒸発することとなり、光学ヘッド表面に異物として付着することとなる。
【００２３】
この異物の付着は、対物レンズからの光ビームにおける透過光量の減少、および、光ディスク表面における光ビームの焦点ずれを引き起こすことになる。
【００２４】
しかしながら、上記の構成によれば、浮上型光学ヘッドにおいて発熱部材を設けていることにより、光学ヘッドの温度が上昇する。
【００２５】
従って、光学ヘッドにおいて、例えば気化した保護層の材料が冷やされることはなく、光学ヘッド表面に付着することを防止することができる。
【００２６】
この結果、対物レンズからの光ビームにおける透過光量の減少、および、光ディスクにおける光ビームの焦点ずれを防止することができる。
【００２７】
また、光学ヘッドへの異物の付着を防止することができるため、付着物の除去工程を必要としない。これにより、効率よく光ディスクに対して、情報の再生・消去・記録を行うことができる。
【００２８】
上記の光学ヘッドは、発熱部材が、光学ヘッドにおいて光ディスクと対向する面付近に設けられていることが好ましい。
【００２９】
上記の構成によれば、効率よく、対物レンズにおいて光ディスクと対向する表面への異物の付着を防止することができる。
【００３０】
上記の光学ヘッドは、発熱部材が、コイルであることが好ましい。
【００３１】
上記の構成によれば、簡単な構成で、発熱部材を設けることができる。また、対物レンズの温度を上昇させて対物レンズを膨張させることなく、光学ヘッドへの異物の付着を防止することができる。
【００３２】
本発明の光ディスク装置は、光源と、対物レンズを有し、離れて配された光ディスクに上記対物レンズを介して光ビームを集光する光学ヘッドとを備え、上記光ディスクに対して少なくとも情報の再生、消去、または、記録を行う光ディスク装置において、上記光学ヘッドには、通電により発熱する発熱部材が設けられていることを特徴としている。
【００３３】
上記の構成によれば、浮上型光学ヘッドにおいて発熱部材を設けていることにより、光学ヘッドの温度が上昇する。従って、光学ヘッドにおいて、例えば気化した保護層の材料が冷やされることはなく、光学ヘッド表面に付着することを防止することができる。
【００３４】
この結果、対物レンズからの光ビームにおける透過光量の減少、および、光ディスクにおける光ビームの焦点ずれを防止することができる。
【００３５】
また、光学ヘッドへの異物の付着を防止することができるため、付着物の除去工程を必要としない。これにより、効率よく光ディスクに対して、情報の再生・消去・記録を行う光ディスク装置を提供することができる。
【００３６】
上記の光ディスク装置は、発熱部材が、光学ヘッドにおいて光ディスクと対向する面付近に設けられていることが好ましい。
【００３７】
上記の構成によれば、効率よく、対物レンズにおいてディスクと対向する表面への異物の付着を防止することができる。
【００３８】
従って、対物レンズからの光ビームにおける透過光量の減少、および、光ディスクにおける光ビームの焦点ずれを防止することができる。
【００３９】
本発明の光照射方法は、対物レンズを備え、該対物レンズを介して、離れて配された光ディスクに光ビームを集光することにより、上記光ディスクに対して少なくとも情報の再生、消去、または、記録を行う光学ヘッドの光照射方法において、上記情報の再生、消去、または、記録を行うときには、上記光ディスクに上記光ビームを集光するとともに、上記光学ヘッドに設けられている発熱部材を通電により発熱させることを特徴としている。
【００４０】
上記の方法によれば、光学ヘッドの温度を上昇させることにより、光学ヘッド表面に異物が付着することを防止することができる。
【００４１】
従って、対物レンズからの光ビームにおける透過光量の減少、および、光ディスクにおける光ビームの焦点ずれを防止することができる。
【００４２】
上記の光照射方法は、発熱部材の消費電力が３００ｍＷ以下になるように、発熱部材を通電させることが好ましい。
【００４３】
上記の方法によれば、発熱部材に負荷を与えることなく、光学ヘッドへの異物の付着を防止することができる。
【００４４】
上記の光照射方法は、発熱部材の消費電力が４０ｍＷ以上になるように、発熱部材を通電させることが好ましい。
【００４５】
上記の構成によれば、光学ヘッドに異物が付着しないように、発熱部材を発熱させることができる。
【００４６】
上記の光照射方法は、発熱部材を、直流電流により通電させることが好ましい。
【００４７】
上記の方法によれば、光学ヘッドの温度を上昇させることができ、光学ヘッドへの異物の付着を防止することができる。
【００４８】
【発明の実施の形態】
本発明の実施の一形態について図１ないし図６に基づいて説明すれば、以下の通りである。
【００４９】
図２は、本実施の形態に係る光ディスク装置の要部の構成を示す。同図に示すように、本光ディスク装置は、光学ヘッド１、光ピックアップ装置８、および、ミラー７を備えている。また、本光ディスク装置は、光学ヘッド１を用いてレーザ光をディスク（光ディスク）５に照射することにより、ディスク５上の情報を再生または消去、あるいは、ディスク５に情報を記録（ディスク５に対して情報を再生・消去・記録）する。
【００５０】
光学ヘッド（浮上型光学ヘッド）１は、図１に示すように、スライダ２、発熱コイル（発熱部材）３、および、対物レンズ４を備えている。また、光学ヘッド１は、サスペンション１１を介して支持部１０に取り付けられている（図６参照）。本実施の形態に係る光ディスク装置において特徴的な構成である光学ヘッド１の構成については、後に説明する。
【００５１】
光ピックアップ装置８は、図示しない半導体レーザ（光源）、半導体レーザから出射されたレーザ光を制御する光学系、および、入射光を電気信号に変換する信号検出系などから構成されている。
【００５２】
信号検出系は、ディスク５からの信号、即ち、ディスク５に記録されている信号、トラッキング制御に用いるトラッキング信号、あるいは、フォーカス制御に用いるフォーカス信号などを検出する。半導体レーザから出射されるレーザ光の波長は、例えば４０５ｎｍである。
【００５３】
ミラー７は、光ピックアップ装置８から出射されたレーザ光が、光学ヘッド１の対物レンズ４に照射されるように、入射されたレーザ光を反射させる。
【００５４】
ディスク５は、ディスク基板上に、情報が記録される情報記録層と、情報記録層を保護する保護層とをこの順に有する。保護層は、何らかの原因で光学ヘッド１とディスク５とが衝突した場合に、ディスク５の損傷や、光学ヘッド１の破損をできるだけ軽減するためのものである。このため、保護層は潤滑性が良好で、硬度が高い。
【００５５】
なお、ディスク５は、レーザ光（光ビーム）を用いて情報を再生、消去、または記録するものであれば、再生専用ディスク、追記型ディスク、記録再生用ディスクなどのいずれであってもかまわない。また、ディスク５は、少なくともレーザ光を用いて情報を再生、消去、または記録するものであれば、その種類は特に限定されるものではなく、例えば、情報の記録・消去のときに磁界を用いるものであってもかまわない。
【００５６】
以下、光学ヘッド１の構成について、図１を用いて説明する。
【００５７】
光学ヘッド１は、図１に示すように、発熱コイル３および対物レンズ４を有するスライダ２からなる。
【００５８】
スライダ２は、ディスク５に対して情報を再生・消去・記録するとき、ディスク５と対向している。このとき、ディスク５は所定の線速度で回転しているため、スライダ２とディスク５との間隔は一定となる（スライダ２はディスク５表面から浮上している）。このように、スライダ２とディスク５とが一定の間隔を有していることにより、後述する対物レンズ４を介してディスク５上に集光されたレーザ光をフォーカス制御することができる。
【００５９】
なお、フォーカス制御については、対物レンズ２にフォーカス機構を付加することによって行ってもかまわない。
【００６０】
発熱コイル３は、スライダ２においてディスク５と対向する面（対向面）側に配されており、その形状は、渦巻状である。
【００６１】
対物レンズ４は、入射されたレーザ光６を、ディスク５上に集光して照射する。これにより、ディスク５に対して、情報の再生・消去・記録を行うことができる。
【００６２】
なお、レーザ光は、ディスク５のディスク基板側からではなく、情報記録層側から入射される。
【００６３】
以下、ディスク５に情報を再生・消去・記録するときの動作について、図６（ａ）・（ｂ）を用いて説明する。
【００６４】
ディスク５に情報を再生・消去・記録する際、光学ヘッド１の対物レンズ４を用いて、所定の位置にレーザ光６を集光させる。このためには、まず、所定の位置にレーザ光６を集光させることができるように、光学ヘッド１を所定の位置まで移動させる必要がある。
【００６５】
そこで、ディスク５における情報の再生・消去・記録領域にレーザ光６が集光されるような位置に光学ヘッド１がない状態から、光学ヘッド１を上記所定の位置まで移動させる場合、光学ヘッド１はバー９によってディスク５から離れた状態で移動する。即ち、光学ヘッド１は、図６（ａ）に示すように、ディスク５と接触しないように、ディスク５から離れた位置に保持されている。ここでは、ディスク５の位置をラインＬ５で示す。
【００６６】
即ち、サスペンション１１を介して光学ヘッド１が取り付けられた支持部１０には、スライド可能なバー９が設けられており、バー９によってサスペンション１１を、ディスク５から離れる方向に付勢することにより、ディスク５から光学ヘッド１を離している。
【００６７】
こうして、所定の位置への光学ヘッド１の移動が完了すると、次に、図６（ｂ）に示すように、バー９による付勢を解除するとともに、ディスク５を所定の速度よりも高速で回転させる。これにより、光学スライダ１のディスク５からの浮上量（光学スライダ１とディスク５との距離）が大きくなり、光学ヘッド１とディスク５とのクラッシュを防止することができる。
【００６８】
その後、図示しない制御部により、ディスク５が所定（一定）の速度で回転するように制御する。これにより、ディスク５と光学ヘッド１との距離を一定に（所定の浮上量を）保持することができる。
【００６９】
そして、図１に示すように、光学ヘッド１は、所定の速度で回転するディスク５に、レーザ光６を集光する、即ち、図２に示すように、光ピックアップ装置８の半導体レーザから出射されたレーザ光は、ミラー７によって対物レンズ４を透過する。
【００７０】
さらに、このときレーザ光は対物レンズ４によって集光され、光ディスク５に入射する。これにより、光ディスク５に、情報が記録または消去される。また、光ディスク５の情報を再生する場合は、上記と同様に光ディスク５にレーザ光を入射し、その反射光が光ピックアップ装置８で再生されることとなる。なお、このとき、ディスク５からの反射光の光路は、ディスク５への入射光と同じである。
【００７１】
ここで、比較例として、発熱コイルを備えていない光学ヘッドについて、図３を用いて説明する。
【００７２】
図３に示すように、光学ヘッド２１は、スライダ２２、および、対物レンズ２４を備え、ディスク２５にレーザ光２６を集光することにより、ディスク２５に対して情報の再生・消去・記録を行う。
【００７３】
ここで、スライダ２２、対物レンズ２４、ディスク２５、レーザ光２６は、それぞれ、図１に示すスライダ２、対物レンズ４、ディスク５、レーザ光６に対応しており，同様の構成となっている。
【００７４】
ところで、ディスク５・２５に対して情報の再生・消去・記録が行われるとき、光学ヘッド１・２１とディスク５・２５との間隔は狭いため、レーザ光６・２６がディスク５・２５上に集光された場合、光学ヘッド１・２１とディスク５・２５との間の部分がかなり高温になる。
【００７５】
このような場合、例えば、光学ヘッド１・２１と情報記録層との間の保護層の温度が上昇するため、例えば、保護層の材料（以下、潤滑材と称する）の沸点以上となると、潤滑材は気化して蒸発することとなる。
【００７６】
この気化した潤滑材は、周りに何もなければ大気中に発散することとなるが、近くに気化した潤滑材よりも温度の低い部材がある場合は、そこに異物として付着することとなる。
【００７７】
従って、比較例の場合、光学ヘッド２１において気化した潤滑材が冷やされて元の状態に戻ることとなる。このため、光学ヘッド２１におけるディスク２５と対向する面上には、潤滑材が付着する。
【００７８】
しかしながら、光学ヘッド１は発熱コイル３を備えている。そしてディスク５に対して情報の再生・消去・記録を行うときに、発熱コイル３を通電する、即ち、発熱コイル３に直流電流（以下、ＤＣ電流と称する）を流すことにより、光学ヘッド１の温度が上昇する。
【００７９】
これにより、光学ヘッド１において気化した潤滑材が冷やされることはなく、潤滑材が光学ヘッド、特に、ディスク５に対する対向面に付着することを防止することができる。
【００８０】
この結果、対物レンズ４からのレーザ光６における透過光量の減少、および、ディスク５の情報記録層におけるレーザ光６の焦点ずれを防止することができる。
【００８１】
また、光学ヘッド１の対向面への異物の付着を防止することができるため、付着物の除去工程を必要としない。これにより、効率よくディスク５に対して、情報の再生・消去・記録を行うことができる。
【００８２】
さらに、発熱コイル３は、光学ヘッド１の対向面側（スライダ２においてディスク５と対向する面側）に設けられている。
【００８３】
従って、効率よく、対物レンズ４の表面への異物の付着を防止することができる。
【００８４】
ここで、例えば、対物レンズ４の表面を覆うようにコイルなどの発熱部材を設けたとすると、対物レンズ４のレンズ面の温度を直接上げることとなり、対物レンズが膨張する。これにより、レーザ光をディスク５上に正確に集光することができなくなる。
【００８５】
従って、発熱コイル３は、図１に示すように、スライダ２において、対物レンズ４とは重ならないように、即ち、対物レンズ４上に形成されないように設けられていることが好ましい。
【００８６】
これにより、対物レンズ４の膨張によって、ディスク５上にレーザ光を正確に集光することができなくなることを防止できる。従って、レーザ光の焦点を安定して適正位置に制御することができる。
【００８７】
なお、発熱コイル３の形状・材料は、発熱するものであれば特に限定されるものではない。
【００８８】
例えば、図５に示すように、対物レンズ４におけるレーザ光６の透過領域周辺に、発熱コイル３を設けていてもかまわない。
【００８９】
これにより、レーザ光６が遮られることなく透過できるとともに、対物レンズ４への異物の付着をより確実に防止することができる。なお、この場合、発熱コイル３と対物レンズ４とが重畳する構成となるが、入射したレーザ光６の光路をさえぎることがないような構成とすればよい。
【００９０】
ところで、通常、ディスク５の情報記録層には案内溝（以下、トラックと称する）が形成されている。光ディスク装置は、このトラックに精度良くレーザ光を追従させることにより、情報の再生・消去・記録を行う。
【００９１】
このトラックにレーザ光を追従させる（トラッキングを行う）ためには、一般に、トラックから反射回折された光を検出することによって制御を行う方法（プッシュプル法）が用いられる。
【００９２】
この方法では、トラックからの反射回折された光を、トラック中心に対して対称に配された２分割ディテクタで受光し、その出力差を取り出す。このように検出される信号をトラッキングエラー（ＴＥ）信号という。
【００９３】
レーザ光がトラック中心を通過するとき、２分割ディテクタのそれぞれの出力差は０になる。従って、出力差が０になるように、集光するレーザ光の位置を制御し、トラッキングを行う。
【００９４】
このようなトラッキングを行っていない場合は、２分割ディテクタのそれぞれで検出される光強度がずれることとなるため、出力差は振幅を有する曲線で表されるようになる。
【００９５】
ここで、安定したトラッキングを行うためには、この曲線の振幅が大きいことが望ましい。また、この曲線に十分な振幅がない場合、出力差を検出できず安定したトラッキングを行うことができなくなる。
【００９６】
そこで、以下、図４を用いて、上述した図３に示す比較例と、図１に示す本実施の形態における光学ヘッド１とにおいて、ディスク５・２５からのＴＥ信号の振幅（以下、ＴＥ信号振幅と称する）の時間依存性を比較して説明する。
【００９７】
なお、ＴＥ信号の振幅測定時においてディスク５上に集光されるレーザ光のレーザパワーは、再生パワーである０．８ｍＷとしている。また、ＴＥ信号の振幅測定時には、発熱コイル３は通電しているものとする。
【００９８】
また、ここでは、発熱コイル３は、フォトリソグラフィ法により、幅０．１ｍｍ、厚さ３μｍ程度の銅膜で作製しているとする。
【００９９】
図４に示すように、比較例における光学ヘッド２１では、測定時間が経過するにつれて、徐々にＴＥ信号振幅が減少した。特に、３時間後以降のＴＥ信号振幅は、初期値（４５０ｍＶ）と比較すると、半分以下の２００ｍＶ程度にまで減少した。
【０１００】
このように、ＴＥ信号振幅が小さくなって、十分なＴＥ信号振幅が得られなくなることにより、比較例では、測定を開始して２時間後以降は、徐々にトラッキングが不安定となり、特に３時間後以降は、度々、レーザ光の焦点位置が、ディスク２５における情報の再生領域から外れてしまった。
【０１０１】
これは、上述した、光学ヘッド２１の対向面への付着物に起因する。光学ヘッド１の対向面に異物が付着することにより、対物レンズ２４からのレーザ光２６の透過量が減少したり、レーザ光２６の焦点がずれたりするためである。
【０１０２】
一方、図１に示す光学ヘッド１では、図４に示すように、ＴＥ信号振幅の減少は見られず、トラッキングを安定して行うことができた。また、情報の記録時および消去時においても、同様に、安定してトラッキングを行うことができた。
【０１０３】
これは、発熱コイル３を備えており、再生・消去・記録時に、発熱コイル３を通電させて光学ヘッド１の温度を上昇させることにより、対向面に異物が付着しないため、対物レンズ４からのレーザ光６の透過量が減少したり、レーザ光６の焦点がずれたりすることがないためである。
【０１０４】
なお、発熱コイル３への通電量が多すぎると、発熱コイル３に負荷がかかり、発熱コイル３を破損させることとなる。
【０１０５】
そこで、発熱コイル３への通電量（消費電力）は、３００ｍＷ以下とすることが好ましい。
【０１０６】
これにより、発熱コイル３に負荷を与えることなく、光学ヘッド１への異物の付着を防止することができる。
【０１０７】
以上のように、光学ヘッド１は、ディスク５にレーザ光６を集光する対物レンズ４を備え、ディスク５の回転に伴ってディスク５との間に間隙を設け、レーザ光６の集光によりディスク５を浮上走査する。また、光学ヘッド１は、通電により発熱する発熱コイル３が設けられている。
【０１０８】
これにより、光学ヘッド１の温度が上昇するため、光学ヘッド１において、例えば気化した潤滑材が冷やされることはなく、光学ヘッド１表面に付着することを防止することができる。
【０１０９】
従って、対物レンズ４からのレーザ光６における透過光量の減少、および、ディスク５におけるレーザ光６の焦点ずれを防止することができる。
【０１１０】
また、光学ヘッド１への異物の付着を防止することができるため、付着物の除去工程を必要としない。これにより、効率よくディスク５に対して、情報の再生・消去・記録を行うことができる。
【０１１１】
また、光学ヘッド１は、発熱コイル３が、対物レンズ４におけるレーザ光６の透過領域の周りに設けられている。
【０１１２】
これにより、レーザ光６が遮られることなく透過できるとともに、対物レンズ４への異物の付着をより確実に防止することができる。
【０１１３】
また、光学ヘッド１は、発熱コイル３が、光学ヘッド１においてディスク５と対向する面（対向面）付近に設けられている。
【０１１４】
これにより、効率よく、対物レンズ４においてディスク５と対向する表面への異物の付着を防止することができる。
【０１１５】
【発明の効果】
本発明の光学ヘッドは、以上のように、通電により発熱する発熱部材が設けられている構成である。
【０１１６】
これにより、光学ヘッドの温度が上昇するため、光学ヘッドにおいて、例えば気化した保護層の材料が冷やされることはなく、光学ヘッド表面に付着することを防止することができる。
【０１１７】
この結果、対物レンズからの光ビームにおける透過光量の減少、および、光ディスクにおける光ビームの焦点ずれを防止することができる。
【０１１８】
また、光学ヘッドへの異物の付着を防止することができるため、付着物の除去工程を必要としない。これにより、効率よく光ディスクに対して、情報の再生・消去・記録を行うことができるといった効果を奏する。
【０１１９】
本発明の光学ヘッドは、発熱部材が、対物レンズにおける光ビームの透過領域の周りに設けられている構成である。
【０１２０】
これにより、光ビームが遮られることなく透過できるとともに、対物レンズへの異物の付着をより確実に防止することができるといった効果を奏する。
【０１２１】
本発明の光学ヘッドは、発熱部材が、光学ヘッドにおいて光ディスクと対向する面付近に設けられている構成である。
【０１２２】
これにより、効率よく、対物レンズにおいて光ディスクと対向する表面への異物の付着を防止することができるといった効果を奏する。
【０１２３】
本発明の光学ヘッドは、発熱部材が、コイルである構成である。
【０１２４】
これにより、簡単な構成で、発熱部材を設けることができる。また、対物レンズの温度を上昇させて対物レンズを膨張させることなく、光学ヘッドへの異物の付着を防止することができるといった効果を奏する。
【０１２５】
本発明の光ディスク装置は、以上のように、光学ヘッドには、通電により発熱する発熱部材が設けられている構成である。
【０１２６】
これにより、光学ヘッドの温度が上昇するため、光学ヘッドにおいて、例えば気化した保護層の材料が冷やされることはなく、光学ヘッド表面に付着することを防止することができる。
【０１２７】
この結果、対物レンズからの光ビームにおける透過光量の減少、および、光ディスクにおける光ビームの焦点ずれを防止することができる。
【０１２８】
また、光学ヘッドへの異物の付着を防止することができるため、付着物の除去工程を必要としない。これにより、効率よく光ディスクに対して、情報の再生・消去・記録を行う光ディスク装置を提供することができるといった効果を奏する。
【０１２９】
本発明の光ディスク装置は、発熱部材が、光学ヘッドにおいて光ディスクと対向する面付近に設けられている構成である。
【０１３０】
これにより、効率よく、対物レンズにおいてディスクと対向する表面への異物の付着を防止することができる。
【０１３１】
従って、対物レンズからの光ビームにおける透過光量の減少、および、光ディスクにおける光ビームの焦点ずれを防止することができるといった効果を奏する。
【０１３２】
本発明の光照射方法は、以上のように、情報の再生、消去、または、記録を行うときには、光ディスクに光ビームを集光するとともに、光学ヘッドに設けられている発熱部材を通電により発熱させる構成である。
【０１３３】
これにより、光学ヘッド表面に異物が付着することを防止することができる。
【０１３４】
従って、対物レンズからの光ビームにおける透過光量の減少、および、光ディスクにおける光ビームの焦点ずれを防止することができるといった効果を奏する。
【０１３５】
本発明の光照射方法は、発熱部材の消費電力が３００ｍＷ以下になるように、発熱部材を通電させる構成である。
【０１３６】
これにより、発熱部材に負荷を与えることなく、光学ヘッドへの異物の付着を防止することができるといった効果を奏する。
【０１３７】
本発明の光照射方法は、発熱部材の消費電力が４０ｍＷ以上になるように、発熱部材を通電させる構成である。
【０１３８】
これにより、光学ヘッドに異物が付着しないように、発熱部材を発熱させることができるといった効果を奏する。
【０１３９】
本発明の光照射方法は、発熱部材を、直流電流により通電させる構成である。
【０１４０】
これにより、光学ヘッドの温度を上昇させることができ、光学ヘッドへの異物の付着を防止することができるといった効果を奏する。
【図面の簡単な説明】
【図１】本発明の実施の一形態に係る光学ヘッドの要部の構成を示す断面図である。
【図２】図１に示す光学ヘッドを備えた光ディスク装置の要部の構成を示す図である。
【図３】比較例の光学ヘッドの要部の構成を示す図である。
【図４】図３に示す比較例の光学ヘッドと図１に示す光ヘッドとにおいて、ディスクからのＴＥ信号の振幅の時間依存性を示すグラフである。
【図５】発熱コイルが対物レンズの周りに配されている場合の構成を示す断面図である。
【図６】（ａ）は、光学ヘッドがディスクから浮上状態にない場合を示す図であり、（ｂ）は、光学ヘッドがディスクから浮上状態にある場合を示す図である。
【符号の説明】
１　　光学ヘッド
２　　スライダ
３　　発熱コイル（発熱手段）
４　　対物レンズ
５　　ディスク（光ディスク）
６　　レーザ光（光ビーム）
８　　光ピックアップ装置
９　　バー
１０　　支持部
１１　　サスペンション
【図１】
2004047028.tif 000003
【図２】
2004047028.tif 000004
【図３】
2004047028.tif 000005
【図４】
2004047028.tif 000006
【図５】
2004047028.tif 000007
【図６】
2004047028.tif 000008